(57)【特許請求の範囲】
【請求項１】
ズーム倍率を自在に設定して撮像可能な撮像手段と、
前記撮像手段に設定されているズーム倍率に基づいて長さの縮尺表示を作成する作成手段と、
前記撮像手段により撮像されている撮像画像、及び、前記作成手段により作成された縮尺表示を重ねて表示する表示手段と、
第１の撮像対象物の測定値を記憶する記憶手段と、
を備え、
前記作成手段は、前記撮像手段に設定されている前記ズーム倍率に基づいて、前記記憶手段に記憶された前記第１の撮像対象物の測定値から縮尺表示を作成し、
前記表示手段は、前記第１の撮像対象物の測定値から作成された前記縮尺表示を、前記撮像手段で撮像されている第２の撮像対象物の撮像画像に重ねて表示し、ユーザ入力に応じて前記縮尺表示の長さと目盛り単位の少なくとも一方を前記第２の撮像対象物の長さに合わせて変更することを特徴とする携帯情報機器。
【請求項２】
前記撮像手段に設定されているズーム倍率、及び、前記表示手段に表示されている前記第２の撮像対象物の表示上の長さにより、前記第２の撮像対象物の長さを算出する算出手段を備えたことを特徴とする請求項１記載の携帯情報機器。
【請求項３】
前記表示手段は、前記撮像手段により撮像されている前記第２の撮像対象物の撮像画像から、所定の閾値を用いて二階調化して前記第２の撮像撮像対象物の輪郭を抽出して、前記第２の撮像対象物の輪郭の強調表示を行うことを特徴とする請求項１記載の携帯情報機器。
【請求項４】
第３の撮像対象物の長さを取得する取得手段と、
前記撮像手段に設定されている前記ズーム倍率、前記表示手段に表示されている前記第２の撮像対象物の表示上の長さ、及び、前記取得手段により取得された前記第３の撮像対象物の長さを用いて、携帯情報機器からこの撮像対象物までの距離を算出する算出手段と、
を備えたことを特徴とする請求項１記載の携帯情報機器。
【発明の詳細な説明】
【技術分野】
【０００１】
本発明は、カメラ機能を用いて撮像処理を行う際、ズーム倍率に基づいて縮尺表示を行い、撮像対象物のサイズやこの携帯情報機器から撮像対象物までの距離を測量することができる携帯情報機器に関する。
【背景技術】
【０００２】
近年、小型の電子機器の高機能化に伴い、携帯電話機等の携帯情報機器においてカメラ機能が備えられることが一般的になってきた。そこで、携帯情報機器のカメラ機能を利用した様々なサービスが提案されている。
【０００３】
例えば特許文献１には、小型化しつつもコストを抑え、事故などの非常事態をカメラ機能を用いて確実に通知する通知システムについて記載されている。この通知システムは、自動車に搭載された携帯電話機が、自動車に発生した接触により加速度が急激に発生したことを検知する加速度センサの検知に基づいて、自動車における非常事態の発生を判断し、カメラの撮像処理による非常事態の画像データや位置情報を通信端末に送信する。
【特許文献１】特開２００６−２７０５６４号公報
【発明の開示】
【発明が解決しようとする課題】
【０００４】
携帯電話機等の携帯情報機器に搭載されたカメラは、そのほとんどがズーム機能を有しているため、撮像を行う携帯情報機器に対して近距離にある物から遠距離にある物まで、様々な位置にある物を対象物として撮像することが可能となっている。そこで、携帯情報機器のカメラ機能を利用して、撮像対象物のサイズやこの携帯情報機器から撮像対象物までの距離を測量できることが望ましい。
【０００５】
本発明は、上記課題を鑑みてなされたものであり、カメラ機能を利用して、撮像対象物のサイズを測量できる携帯情報機器を提供することを目的とする。
【課題を解決するための手段】
【０００６】
上記課題を解決するために、本発明に係る携帯電話機は、ズーム倍率を自在に設定して撮像可能な撮像手段と、長さの縮尺表示を作成する作成手段と、前記撮像手段により撮像されている撮像画像、及び、前記作成手段により作成された縮尺表示を重ねて表示する表示手段と、を備えたことを特徴とする。
【発明の効果】
【０００７】
本発明に係る携帯情報機器によると、カメラ機能を利用して、撮像対象物のサイズを測量することが可能となった。
【発明を実施するための最良の形態】
【０００８】
本発明に係る携帯情報機器の実施形態について、添付図面を参照しながら説明する。本発明に係る携帯情報機器として、カメラ機能を備えた携帯電話機１を例に挙げて説明する。
【０００９】
図１及び図２に、携帯電話機１の一例として説明に用いている折り畳み型の携帯電話機の外観図を示す。図１［Ａ］は、携帯電話機１の約１８０度に見開いた状態の正面図であり、図１［Ｂ］は、携帯電話機１の見開いた状態の側面図である。また、図２［Ａ］は、携帯電話機１の折り畳んだ状態の正面図であり、図２［Ｂ］は、携帯電話機１の折り畳んだ状態の側面図である。
【００１０】
図１及び図２に示すように、携帯電話機１は、中央のヒンジ部１１を挟むように第１の筐体１２と第２の筐体１３とがヒンジ結合されており、ヒンジ部１１を介して図１のＸ方向に折り畳み自在に形成される。携帯電話機１の内部の所定の位置には、送受信用のアンテナ（後述する図３のアンテナ３７）が設けられており、携帯電話機１は、この内蔵されたアンテナ３７を介して基地局（図示せず）との間で電波の送受信を行う。
【００１１】
第１の筐体１２の中央部には、液晶ディスプレイ１５が設けられている。この液晶ディスプレイ１５における上部には、例えば、現在のアンテナ３７の感度レベルを示すアンテナピクト、携帯電話機１の現在の電池残量を示す電池ピクト、現在の時刻等が表示される。液晶ディスプレイ１５の中央部には、例えば、後述するＣＣＤカメラ１６により撮像された画像等が表示される。
【００１２】
第２の筐体１３には、ユーザが数字や文字列を入力するための「０」乃至「９」の数字キー１４ａ、発呼処理を行うための発呼キー１４ｂ、通話を終了したり電源のオン／オフ状態を切り替えたりするための終話・電源キー１４ｃ、入力された文字列を消去したり実行中の処理を終了したりするためのクリアキー１４ｄ等の操作キー１４が設けられており、ユーザはこれらの操作キー１４を用いて各種指示を入力することができる。
【００１３】
また、第２の筐体１３には、操作キー１４として十字キー１４ｅと確定キー１４ｆが設けられており、ユーザが十字キー１４ｅを上下左右方向に操作することによりカーソル位置を上下左右方向に移動させたり表示画面をスクロールしたりすることができる。また、確定キー１４ｆを押下することにより、種々の機能を確定することができる。例えば第１の筐体１２は、ユーザによる十字キーの操作に応じて液晶ディスプレイ１５に表示された選択肢の中から所望の項目が選択され、確定キー１４ｆが押下されると、選択された項目を確定することができる。
【００１４】
第１の筐体１２の上部には、ＣＣＤカメラ１６が設けられており、これにより、ユーザが所望の対象物を撮像することが可能となる。ＣＣＤカメラ１６はズーム機能を備えており、例えばユーザの操作キー１４を介した入力による指示により、ズーム倍率を変更して撮像することができる。
【００１５】
また、第１の筐体１２には、操作キー１４の下部にマイクロフォン１７が設けられており、マイクロフォン１７によって通話時のユーザの音声を集音する。また、液晶ディスプレイ１５の上部の所定の位置にはスピーカ１８が設けられており、これにより、ユーザが音声を聞くことが可能となる。
【００１６】
次に、携帯電話機１の機能について説明する。図３は、携帯電話機１の機能ブロック図である。携帯電話機１は、図３に示すように、主制御部２０、電源回路部２１、操作入力制御部２２、表示制御部２３、記憶部２４、音声コーデック２５、変復調回路部２６、カメラ制御部２７、測量制御部２８、及び縮尺表示制御部２９がバスによって相互に電気的に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部１１は、ユーザによる操作キー１４を介した入力に基づいて電源のオン／オフ状態を切り替え、電源がオン状態の場合に内蔵されている電力供給源（バッテリ等）または外部に接続されている電力供給源から各部に対して電力を供給して、携帯電話機１を動作可能にする。
【００１８】
操作入力制御部２２は操作キー１４に対する入力インタフェースを備え、操作キー１４によって入力されたデータを主制御部２０に伝送する。表示制御部２３は液晶ディスプレイ１５に対する表示インタフェースを備え、主制御部２０の制御に基づいて、操作キー１４により入力された文字データやＣＣＤカメラ１６により撮像された画像データ等、様々なデータを液晶ディスプレイ１５に表示する。
【００１９】
記憶部２４は、主制御部２０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等の記憶装置からなる。
【００２０】
携帯電話機１は、他の携帯電話機や固定電話機に対して、基地局（図示せず）を介して音声通話処理を行う。すなわち音声コーデック２５は、主制御部２０の制御に基づいて、マイクロフォン１７で集音した音声からアナログ音声信号を生成する。変復調回路部２６は、音声通話の際に、音声コーデック２５からアナログ信号を入力すると、この信号をデジタル信号に変換して送受信回路部３６に伝送する。送受信回路部３６はこのデジタル音声信号をアンテナ３７を介して基地局に送信する。変復調回路部２６は、送受信回路部３６がアンテナ３７を介して基地局から受信したデジタル音声信号を、アナログ音声信号に変換する。音声コーデック２５は、音声通話の際に、変復調回路部２６からアナログ音声信号を取得して、スピーカ１８から音声として出力する。
【００２１】
また、携帯電話機１は、他の携帯電話機や通信機器に対して基地局を介してデータ通信処理を行う。すなわち携帯電話機１は、電子メールやＷｅｂ閲覧データ、画像データ、映像データ等の様々なデータの送受信処理を行う。主制御部２０は、データを受信する際、送受信回路部３６がアンテナ３７を介して基地局から受信した受信信号を変復調回路部２６でスペクトラム逆拡散処理して、データを復元する。このデータは、主制御部２０の指示により、表示制御部２３を介して液晶ディスプレイ１５に表示されたり記憶部２４に記録されたりする。また主制御部２０は、操作入力部２２を介して入力されたデータや記憶部２４に記憶されたデータを送信する際、変復調回路部２６がデータに対してスペクトラム拡散処理を行い、送受信回路部３６がアンテナ３７を介して基地局に送信する。
【００２２】
カメラ制御部２７は、ＣＣＤカメラ（撮像手段）１６に対するカメラインタフェースを備え、ＣＣＤカメラ１６で撮像した画像信号を主制御部２０に伝送し、表示制御部２３を介して液晶ディスプレイ１５にこの画像を表示する。またカメラ制御部２７は、主制御部２０の制御に基づいて、ＣＣＤカメラ１６のズーム倍率を自在に変更／設定してＣＣＤカメラ１６に撮像処理を行わせる。さらにカメラ制御部２７は、主制御部２０の制御に基づいて、ＣＣＤカメラ１６が入力した画像信号を、例えばＭＰＥＧ（Ｍｏｖｉｎｇ  Ｐｉｃｔｕｒｅ  Ｅｘｐｅｒｔｓ  Ｇｒｏｕｐ）４等の所定の符号化方式によって圧縮符号化し
て記憶部２４に記憶する。
【００２３】
また測量制御部２８は、ＣＣＤカメラ１６を用いた測量に使用されるデータである測量データを記憶する測量データ記憶部２８ａを備えている。測量データは、ズーム倍率に関するデータや、メモリ単位を設定したりメモリ単位を変更したりするための計算に用いられる数値に関するデータ、過去に測量された測量値を示すデータ等が記憶されている。
【００２４】
測量制御部２８は、ＣＣＤカメラ１６のズーム倍率や、ＣＣＤカメラ１６により撮像されている撮像対象物の表示上の長さ等を用いて、この撮像対象物の実際の長さを測量する。例えば、測量制御部２８は、サイズが既知の撮像対象物について、ＣＣＤカメラ１６において撮像対象物にピントが合っているときのズーム倍率と、液晶ディスプレイ１５に表示されているときの撮像対象物の表示上のサイズとの関係を求めて測量データ記憶部２８ａに予め記憶しておくことにより、ＣＣＤカメラ１６のズーム倍率と液晶ディスプレイ１５上の撮像対象物のサイズとから、撮像対象物の実際のサイズを算出する。
【００２５】
また測量制御部２８は、ＣＣＤカメラ１６のズーム倍率や、ＣＣＤカメラ１６により撮像されている撮像対象物の表示上の長さ、この撮像対象物の実際の長さ等を用いて、携帯電話機１からこの撮像対象物までの実際の距離を測量する。例えば、測量制御部２８は、サイズが既知の撮像対象物が、携帯電話機１から既知の距離だけ離れた位置にあるときの、ＣＣＤカメラ１６において撮像対象物にピントが合っているときのズーム倍率と、液晶ディスプレイ１５に表示されているときの撮像対象物の表示上のサイズとの関係を求めて測量データ記憶部２８ａに予め記憶しておくことにより、撮像対象物の実際のサイズと、液晶ディスプレイ１５に表示されているときの撮像対象物の表示上のサイズと、ＣＣＤカメラ１６のズーム倍率とから、携帯電話機１から撮像対象物までの距離を算出する。
【００２６】
縮尺表示制御部２９は、ＣＣＤカメラ１６のズーム倍率に基づいて、縮尺表示を行う。例えば、縮尺表示制御部２９は、サイズが既知の撮像対象物について、ＣＣＤカメラ１６において撮像対象物にピントが合っているときのズーム倍率と、液晶ディスプレイ１５に表示されているときの撮像対象物の表示上のサイズとの関係を求めて測量データ記憶部２８ａに予め記憶しておくことにより、ＣＣＤカメラ１６のズーム倍率から、液晶ディスプレイ１５の表示上の撮像対象物のサイズを算出して、このサイズを縮小表示として液晶ディスプレイ１５に撮像画像と重ねて表示する。ユーザは、この縮尺表示に基づいて、液晶ディスプレイ１５に表示されている撮像対象物のサイズを目測することができる。
【００２７】
また縮尺表示制御部２９は、例えばユーザの操作キー１４を介した指示に基づいて、縮尺表示５１の長さやメモリ単位を変更したり、縮尺表示５１の縦横変換、平行移動、回転移動等を行ったりする。
【実施例１】
【００２８】
携帯電話機１の実施例１について、図４乃至図７に基づいて説明する。携帯電話機１は、ＣＣＤカメラ１６を用いた機能モードとして、撮像処理を行いその撮像された画像を記憶部２４に記憶する通常撮像モードと、撮像処理を行い撮像対象物の測量を行う測量モードとの少なくとも２つのモードを備えている。
【００２９】
携帯電話機１において測量モードを起動して、ＣＣＤカメラ１６を用いて撮像対象物の測量を行う際、液晶ディスプレイ１５に表示されている対象物の表示画面５０上の長さやＣＣＤカメラ１６のズーム倍率等を用いて、対象物の実際の長さや携帯電話機１から対象物までの距離の測量を行うため、ズーム倍率を調整して、その対象物にピントを合わせる必要がある。ＣＣＤカメラ１６により撮像対象物にピントを合わせると、カメラ制御部２８は、例えば、撮像画像を所定の閾値を用いて二階調化して対象物の輪郭を抽出すること等により、測量の対象物を設定する。そして、携帯電話機１がその対象物にハイライトを設定したり輪郭を強調表示したりすることにより、ユーザは、液晶ディスプレイ１５に移されている画像において、ＣＣＤカメラ１６において測量の対象物（ピントが合っている対象物）を視覚的に確認することができる。また、ユーザは、例えば十字キー１４ｅ等の操作キー１４を用いて指示を行うことにより、液晶ディスプレイ１５に表示されている撮像画像において測量の対象物を変更することができる。
【００３０】
ここで、カメラ制御部２７及び測量制御部２８が対象物を設定する処理を行う際の手順について、図４に示すフローチャートに基づいて説明する。以下、例えば「ステップＳ１０１」を「Ｓ１０１」のように、「ステップ」の語句を省略して説明する。
【００３１】
ユーザは、携帯電話機１を用いて測量を行う際に、まず操作キー１４等を用いてＣＣＤカメラ１６を起動するように指示を出す。そこで、カメラ制御部２７は、ＣＣＤカメラ１６の起動が指示されたか否かを判断する（Ｓ１０１）。ＣＣＤカメラ１６の起動が指示されていない場合（Ｓ１０１のＮｏ）は、カメラ制御部２７は変化するまで待機する。
【００３２】
ＣＣＤカメラ１６の起動が指示された場合（Ｓ１０１のＹｅｓ）は、カメラ制御部２７はカメラを起動して、通常撮像モードにて撮像処理を開始する（Ｓ１０３）。そして、測量制御部２８は、測量モードの起動の指示がされたか否かを判断する（Ｓ１０５）。測量モードの起動が指示されていない場合（Ｓ１０５のＮｏ）は、カメラ制御部２７は、通常撮像モードにてＣＣＤカメラ１６による撮像処理を継続する。
【００３３】
測量モードの起動の指示がされた場合（Ｓ１０５のＹｅｓ）、測量制御部２８は測量モードを起動する（Ｓ１０７）。測量モードが起動されると、カメラ制御部２８は、現在ピントが合っている物を測量の対象物として設定し、この対象物にハイライトを設定したり輪郭を強調表示したりして、ユーザに対して対象物を提示する。
【００３４】
測量制御部２８は、測量の対象物の変更が指示されたか否かを判断する（Ｓ１０９）。ユーザは、例えば十字キー１４ｅ等の操作キー１４を用いて上下左右への移動を促すことにより、携帯電話機１にＣＣＤカメラ１６により撮像されている画像における測量の対象物の変更を指示する。
【００３５】
測量の対象物の変更が指示されると、カメラ制御部２７は、ＣＣＤカメラ１６において別の対象物にピントが合うようにズーム倍率を変更する（Ｓ１１１）。またカメラ制御部２７は、ユーザの指示に基づいて測量の対象物を変更して、変更後の対象物にハイライトや強調表示を行う（Ｓ１１３）。例えば、始めに図５（Ａ）に示すように、測量の対象物として対象物Ｘ１が設定されていた際に、ユーザにより測量の対象物として対象物Ｘ２を設定するように指示された場合、カメラ制御部２７は、Ｓ１１１にてズーム倍率を変更することにより、ピントを対象物Ｘ２に合わせて、図５（Ｂ）に示すように、ハイライトや強調表示を対象物Ｘ１から対象物Ｘ２に変更する。
【００３６】
Ｓ１１３にて測量の対象物を変更したか、あるいは測量の対象物の変更が指示されていない場合（Ｓ１０９のＮｏ）は、カメラ制御部２７は、ズーム倍率の変更が指示されたか否かを判断する（Ｓ１１５）。ユーザは、例えば操作キー１４を用いて所定のキー操作を行うことにより、携帯電話機１にズーム倍率の変更を指示する。対象物の測量を行う際、上述したように、対象物の表示画面５０上の長さとＣＣＤカメラ１６のズーム倍率等を用いて対象物の長さの計算を行うため、ズーム倍率が変更されると必然的に測量の対象物も変更される。
【００３７】
ズーム倍率の変更が指示された場合（Ｓ１１５のＹｅｓ）は、カメラ制御部２７は、ＣＣＤカメラ１６のズーム倍率を変更する（Ｓ１１７）。またカメラ制御部２７は、測量の対象物を変更して変更後の対象物に対してハイライトや強調表示を行う（Ｓ１１９）。例えば、始めに図５（Ａ）に示すように、測量の対象物として対象物Ｘ１が設定されていた場合、ユーザがズーム倍率を変更すると、カメラ制御部２７は、図５（Ｂ）に示すように、Ｓ１１７にてズーム倍率を変更し、ピントを対象物Ｘ２に合わせて測量の対象物を対象物Ｘ２とし、対象物Ｘ２にハイライトや強調表示を行う。
【００３８】
このように、携帯電話機１では、ＣＣＤカメラ１６が起動されて測量モードが起動されると、ＣＣＤカメラ１６のピントが合っている物を測量の対象物とするが、ユーザにより測量の対象物の変更が指示されたり、ズーム倍率の変更が指示されたりした場合、測量の対象物を変更して変更後の対象物に対してハイライトや強調表示を行う。
【００３９】
携帯電話機１は、測量の対象物にピントが合った状態で、ユーザの指示に基づいて、液晶ディスプレイ１５において測量の対象物の近隣に長さの縮尺表示を行う。この携帯電話機１が縮尺表示処理を行う際の手順について、図６に示すフローチャートに基づいて説明する。携帯電話機１の実施例１では、ＣＣＤカメラ１６を用いて撮像を行う際に、長さの縮尺表示を行うとともに、対象物の実際の長さを測量することができる。
【００４０】
ユーザは、携帯電話機１を用いて測量を行う際に、まず操作キー１４等を用いてＣＣＤカメラ１６を起動するように指示を出す。そこで、カメラ制御部２７は、ＣＣＤカメラ１６の起動が指示されたか否かを判断する（Ｓ２０１）。ＣＣＤカメラ１６の起動が指示されていない場合（Ｓ２０１のＮｏ）は、カメラ制御部２７は変化するまで待機する。
【００４１】
ＣＣＤカメラ１６の起動が指示された場合（Ｓ２０１のＹｅｓ）は、カメラ制御部２７はカメラを起動して、通常撮像モードにて撮像処理を行う（Ｓ２０３）。そして、測量制御部２８は、測量モードの起動の指示がされたか否かを判断する（Ｓ２０５）。測量モードの起動が指示されていない場合（Ｓ２０５のＮｏ）は、カメラ制御部２７は、通常撮像モードにてＣＣＤカメラ１６による撮像処理を継続する。
【００４２】
測量モードの起動が指示された場合（Ｓ２０５のＹｅｓ）は、測量制御部２８は、測量モードを起動する（Ｓ２０７）。測量モードが起動されると、測量制御部２８は、ステップＳ１０９乃至Ｓ１１９に示すように、ピントが合っている物を測量の対象物に設定して、この対象物にハイライトや強調表示を行う。
【００４３】
縮尺表示制御部２９は、縮尺表示が指示されたか否かを判断する（Ｓ２０９）。この指示は、例えばユーザが携帯電話機１に縮尺表示を行わせたい時に、操作キー１４を用いて任意のキー操作を行うことによってされる。縮尺表示が指示されていない場合（Ｓ２０９のＮｏ）は、縮尺表示制御部２９はそのまま測量モードを継続する。
【００４４】
縮尺表示が指示された場合（Ｓ２０９のＹｅｓ）は、縮尺表示制御部２９は、カメラ制御部２７からＣＣＤカメラ１６において現在設定されているズーム倍率を取得する（Ｓ２１１）。また縮尺表示制御部２９は、液晶ディスプレイ１５の表示画面５０に表示されている画像（ＣＣＤカメラ１６で撮像されている画像）に重ねるようにして、上述したように、ズーム倍率に基づいて縮尺表示を行う（Ｓ２１３）。この縮尺表示５１は、例えば図７（Ａ）に示すように、撮像対象物の実際の長さを示す縮尺バー５１ａ及びメモリ５１ｂで構成され、測量の対象物の近隣に表示される。なお、縮尺表示５１のメモリ５１ｂは、例えばユーザにより予め設定されて測量データ記憶部２８ａに記憶されている。ユーザは、この縮尺表示５１と対象物と比較することにより、対象物の大体の大きさを目測することができる。
【００４５】
次に、縮尺表示制御部２９は、ズーム倍率が変更されたか否かを判断する（Ｓ２１５）。この際、ユーザによりズーム倍率を変更する指示が出されたり、またはユーザにより測量の対象物を変更する指示が出されたりする等により、ズーム倍率が変更される。ズーム倍率が変更された場合（Ｓ２１５のＹｅｓ）は、縮尺表示制御部２９は、カメラ制御部２７からＣＣＤカメラ１６において現在設定されているズーム倍率を取得する（Ｓ２１７）。また縮尺表示制御部２９は、Ｓ２１３と同様にして変更後のズーム倍率に基づいて縮尺表示を行う（Ｓ２１９）。この際、例えば図７（Ａ）に示す状態から、図７（Ｂ）に示すようにズーム倍率を変更すると、変更後のズーム倍率に基づいて縮尺表示５１の縮尺を変更して表示しなおす。
【００４６】
縮尺表示制御部２９は、測量バー５１ｃの表示が指示されたか否かを判断する（Ｓ２２１）。この測量バー５１ｃの表示は、例えばユーザが操作キー１４を用いて任意のキー操作を行うことによって指示される。測量バー５１ｃとは、ＣＣＤカメラ１６により撮像されている撮像対象物の長さを正確に測量するためのバーであり、縮尺表示制御部２９は、この測量バー５１ｃの長さを表示画面５０上における対象物の長さと同じ長さに設定することにより、対象物の実際の長さの測量を行う。
【００４７】
測量バー５１ｃの表示が指示された場合（Ｓ２２１のＹｅｓ）は、縮尺表示制御部２９は、測量バー５１ｃの表示を行う（Ｓ２２３）。この際、例えば図７（Ｃ）に示すように、人物である対象物Ｘ３と並べて測量バー５１ｃを表示し、この測量バー５１ｃの長さを表示画面５０における人物の長さ（身長）に合わせて設定することにより、対象物Ｘ３である人物の実際の身長を測量することができる。
【００４８】
縮尺表示制御部２９は、測量バー５１ｃの長さが設定されたか否かを判断する（Ｓ２２５）。この際、例えばユーザが、図７（Ｃ）に示すように、ユーザにより測量バー５１ｃの長さが対象物Ｘ３の長さに合わせて調整され、例えば確定キー１４ｆ等の操作キー１４が押下された場合、測量バー５１ｃの長さが設定されたものと判断される。測量バー５１ｃの長さが設定されていない場合（Ｓ２２５のＮｏ）は、縮尺表示制御部２９は、測量バー５１ｃの長さが設定されるまで待機する。
【００４９】
測量バー５１ｃの長さが設定された場合（Ｓ２２５のＹｅｓ）は、縮尺表示制御部２９は、図７（Ｃ）に示すように、現在設定されている測量バー５１ｃの長さを測量値として、液晶ディスプレイ１５の表示画面５０の長さ表示欄５１ｄに、ＣＣＤカメラ１６により撮像されている画像と重ねて表示する（Ｓ２２７）。この測量値は、対象物の表示画面５０における長さとズーム倍率とから、対象物の実際の長さを計算した計算値である。
【００５０】
縮尺表示制御部２９は、測量値の記憶が指示されたか否かを判断する（Ｓ２２９）。ユーザは、この測量値を携帯電話機１に記憶されておきたいときに、操作キー１４を用いて測量値の記憶を指示する。測量値の記憶が指示された場合（Ｓ２２９のＹｅｓ）は、縮尺表示制御部２９は、記憶部２４または測量データ記憶部２８ａに、この測量値を記憶する（Ｓ２３１）。
【００５１】
このように、携帯電話機１において測量モードが起動された際、測量制御部２８は、ズーム倍率に基づいて長さの縮尺表示を行う。また携帯電話機１は、ズーム倍率が変更された際、ＣＣＤカメラ１６の変更後のズーム倍率に合わせて縮尺表示５１の尺度を設定して表示しなおす。また携帯電話機１は、測量モードにおいて測量バー５１ｃの表示が指示された場合、測量バー５１ｃを表示してこの測量バー５１ｃの長さが対象物の長さと同じ長さになるように設定することにより、ズーム倍率とこの測量バー５１ｃの長さ等を用いて対象物の実際の長さや幅等のサイズを算出する。また、測量モードでは、縮尺表示５１と対象物を合成した状態で撮影してもよい。これにより、対象物を縮尺表示付きの画像として保存することができる。
【００５２】
なお、縮尺表示５１の縮尺バー５１ａのメモリ５１ｂのメモリ単位や、測量バー５１ｃによって測量された測量値の単位等は、予めユーザに設定される等により記憶部２４や測量データ記憶部２８ａに記憶されていると良い。また、記憶部２４や測量データ記憶部２８ａにおいてズーム倍率と数値の単位とを関連付けて予め記憶しておき、縮尺表示を行う際に、ズーム倍率に基づいて縮尺表示５１の数値の単位を決定しても良い。
【００５３】
本発明に係る携帯情報機器（携帯電話機１）の実施例１によると、ＣＣＤカメラ１６を用いて撮像処理を行う際、ズーム倍率に基づいて長さの縮尺表示を行うとともに、ズーム倍率及び撮像対象物の表示画面５０上の長さに基づいて撮像対象物の実際の長さや幅等のサイズを測量することが可能となる。
【実施例２】
【００５４】
本発明に係る携帯情報機器の実施例２について図８及び図９に基づいて説明する。なお実施例２は、実施例１と同様に、本発明に係る携帯情報機器として、携帯電話機１を例に挙げて説明する。図８は、携帯電話機１が縮尺表示処理を行う際の手順を示すフローチャートである。携帯電話機１の実施例２では、ＣＣＤカメラ１６を用いた撮像を行う際に、縮尺表示を行うとともに、ＣＣＤカメラ１６で撮像されている画像と重ねて、予め指定された基準値を示す縮尺表示を行う。
【００５５】
ユーザは、携帯電話機１を用いて測量を行う際に、まず操作キー１４等を用いてＣＣＤカメラ１６を起動するように指示を出す。そこで、カメラ制御部２７は、ＣＣＤカメラ１６の起動が指示されたか否かを判断する（Ｓ３０１）。ＣＣＤカメラ１６の起動が指示されていない場合（Ｓ３０１のＮｏ）は、カメラ制御部２７は変化するまで待機する。
【００５６】
ＣＣＤカメラ１６の起動が指示された場合（Ｓ３０１のＹｅｓ）は、カメラ制御部２７はカメラを起動して、通常撮像モードにて撮像処理を行う（Ｓ３０３）。そして、測量制御部２８は、測量モードの起動の指示がされたか否かを判断する（Ｓ３０５）。測量モードの起動が指示されていない場合（Ｓ３０５のＮｏ）は、カメラ制御部２７は、通常撮像モードにてＣＣＤカメラ１６による撮像処理を継続する。
【００５７】
測量モードの起動が指示された場合（Ｓ３０５のＹｅｓ）は、測量制御部２８は、測量モードを起動する（Ｓ３０７）。測量モードが起動されると、測量制御部２８は、実施例１のステップＳ１０９乃至Ｓ１１９に示すように、ピントが合っている物を測量の対象物に設定して、この対象物にハイライトや強調表示を行う。
【００５８】
ユーザは、ＣＣＤカメラ１６を用いて撮像を行っている時に、その画面内に予め設定されている基準値を表示したい場合に、操作キー１４を用いて携帯電話機１に基準値の表示を指示する。縮尺表示制御部２９は、その基準値の表示が指示されたか否かを判断する（Ｓ３０９）。
【００５９】
基準値の表示が指示された場合（Ｓ３０９のＹｅｓ）は、縮尺表示制御部２９は、記憶部２４または測量データ記憶部２８ａに記憶されている基準値（例えばＳ２３１にて記憶された測量値）を取得する（Ｓ３１１）。また縮尺表示制御部２９は、現在ＣＣＤカメラ１６に設定されているズーム倍率を取得する（Ｓ３１３）。
【００６０】
そして縮尺表示制御部２９は、Ｓ３１１にて取得した基準値とＳ３１３にて取得したズーム倍率とを用いて、現在ＣＣＤカメラ１６で撮像されている画像に重ねるようにして、液晶ディスプレイ１５に基準値を示す縮尺表示を表示する（Ｓ３１５）。例えば図９（Ａ）に示すような対象物Ｘ４の長さをＳ２３１にて測量値として記憶していた場合、図９（Ｂ）に示すように、対象物Ｘ５に並べるようにして、この測量値を基準値として示す縮尺表示５１ｅを表示することにより、対象物Ｘ４と対象物Ｘ５との長さを視覚的に比較することができる。
【００６１】
このように、携帯電話機１は測量モードを起動した際、ユーザの指示に基づいて、予め設定された基準値を示す縮尺表示を、測量の対象物と並べるようにして表示する。
【００６２】
なお、縮尺表示５１の縮尺バー５１ａのメモリ５１ｂのメモリ単位や、基準値の単位等は、予めユーザに設定される等により記憶部２４や測量データ記憶部２８ａに記憶されていると良い。また、記憶部２４や測量データ記憶部２８ａにおいてズーム倍率と数値の単位とを関連付けて予め記憶しておき、縮尺表示を行う際に、ズーム倍率に基づいて縮尺表示５１の数値の単位を決定しても良い。
【００６３】
本発明に係る携帯情報機器（携帯電話機１）の実施例２によると、ＣＣＤカメラ１６を用いて撮像処理を行う際、ズーム倍率に基づいて所定値の縮尺表示５１を行うことにより、ユーザが撮像対象物の長さを所定値と比較することが可能となる。
【００６４】
これにより、年月の経過に伴った身長の変化を記憶して成長記録を行ったり、所定人物の身長の数値を予め記憶しておくことによりこの人物と他の人物との身長を比較したりすることが可能となる。または、所定の空間に撮像対象物が収まるか否か、配置できるか否かを推測することが可能となる。
【実施例３】
【００６５】
本発明に係る携帯情報機器の実施例３について図１０及び図１１に基づいて説明する。なお実施例３は、実施例１及び実施例２と同様に、本発明に係る携帯情報機器として、携帯電話機１を例に挙げて説明する。
【００６６】
図１０は、携帯電話機１が縮尺表示処理を行う際の手順を示すフローチャートである。携帯電話機１の実施例３では、ＣＣＤカメラ１６を用いた撮像を行う際に、長さの縮尺表示を行うとともに、この縮尺表示５１を対象物の形状に合わせて移動、回転することができる。
【００６７】
ユーザは、携帯電話機１を用いて測量を行う際に、まず操作キー１４等を用いてＣＣＤカメラ１６を起動するように指示を出す。そこで、カメラ制御部２７は、ＣＣＤカメラ１６の起動が指示されたか否かを判断する（Ｓ４０１）。ＣＣＤカメラ１６の起動が指示されていない場合（Ｓ４０１のＮｏ）は、カメラ制御部２７は変化するまで待機する。
【００６８】
ＣＣＤカメラ１６の起動が指示された場合（Ｓ４０１のＹｅｓ）は、カメラ制御部２７はカメラを起動して、通常撮像モードにて撮像処理を行う（Ｓ４０３）。そして、測量制御部２８は、測量モードの起動の指示がされたか否かを判断する（Ｓ４０５）。測量モードの起動が指示されていない場合（Ｓ４０５のＮｏ）は、カメラ制御部２７は、通常撮像モードにてＣＣＤカメラ１６による撮像処理を継続する。
【００６９】
測量モードの起動が指示された場合（Ｓ４０５のＹｅｓ）は、測量制御部２８は、測量モードを起動する（Ｓ４０７）。測量モードが起動されると、測量制御部２８は、実施例１のステップＳ１０９乃至Ｓ１１９に示すように、ピントが合っている物を測量の対象物に設定して、この対象物にハイライトや強調表示を行う。
【００７０】
縮尺表示制御部２９は、縮尺表示が指示されたか否かを判断する（Ｓ４０９）。この指示は、例えばユーザが操作キー１４を用いて任意のキー操作を行うことによってされる。縮尺表示が指示されていない場合（Ｓ４０９のＮｏ）は、縮尺表示制御部２９はそのまま測量モードを継続する。
【００７１】
縮尺表示が指示された場合（Ｓ４０９のＹｅｓ）は、縮尺表示制御部２９は、カメラ制御部２７からＣＣＤカメラ１６において現在設定されているズーム倍率を取得する（Ｓ４１１）。また縮尺表示制御部２９は、液晶ディスプレイ１５の表示画面５０に表示されている画像（ＣＣＤカメラ１６で撮像されている画像）に重ねるようにして、縮尺表示を行う（Ｓ４１３）。この縮尺表示５１は、例えば図１１（Ａ）に示すように、対象物Ｘ６の近隣に、縮尺バー５１ａが水平方向になるようにして表示される。
【００７２】
ここで、縮尺表示５１は対象物Ｘ６に対して視覚的に測量が行える位置に表示されることが望ましいが、縮尺表示５１が必ずしもユーザにとって理想的な位置に表示されるとは限らないため、携帯電話機１は、ユーザにより操作キー１４を用いて縮尺表示５１を縦横変換、平行移動、回転移動することができるように構成されている。
【００７３】
縮尺表示制御部２９は、縮尺表示５１の縦横変換が指示されたか否かを判断する（Ｓ４１５）。縦横変換が指示された場合（Ｓ４１５のＹｅｓ）は、縮尺表示制御部２９は、縮尺表示５１を９０度回転移動させて、縦方向（垂直方向）を横方向（水平方向）に、横方向（水平方向）を縦方向（垂直方向）に変換して表示する（Ｓ４１７）。例えば図１１（Ａ）及び図１１（Ｂ）に示すように、ユーザの操作キー１４を介した指示に基づいて、縮尺表示５１の縮尺バー５１ａが横方向（水平方向）から縦方向（垂直方向）になるように、縦横変換させる。
【００７４】
縦横変換が指示されなかった場合（Ｓ４１５のＮｏ）、あるいはＳ４１７の処理を行った場合は、縮尺表示制御部２９は、縮尺表示５１の平行移動が指示されたか否かを判断する（Ｓ４１９）。平行移動が指示された場合（Ｓ４１９のＹｅｓ）は、縮尺表示制御部２９は、縮尺表示５１を所定量（またはユーザにより指示された量）だけ平行移動させる（Ｓ４２１）。例えば図１１（Ｂ）及び図１１（Ｃ）に示すように、ユーザの操作キー１４を介した指示に基づいて、縮尺表示５１を対象物Ｘ６のより近隣に平行移動させる。
【００７５】
平行移動が指示されなかった場合（Ｓ４１９のＮｏ）、あるいはＳ４２１の処理を行った場合は、縮尺表示制御部２９は、縮尺表示５１の回転移動が指示されたか否かを判断する（Ｓ４２３）。回転移動が指示された場合（Ｓ４２３のＹｅｓ）は、縮尺表示制御部２９は、縮尺表示５１の縮尺バー５１ａを所定角度（またはユーザにより指示された角度）だけ回転移動させる（Ｓ４２５）。例えば図１１（Ｃ）及び図１１（Ｄ）に示すように、ユーザの操作キー１４を介した指示に基づいて、縮尺表示５１の縮尺バー５１ａを対象物Ｘ６に合わせて回転移動させる。
【００７６】
回転移動が指示されなかった場合（Ｓ４２３のＮｏ）、あるいはＳ４２５の処理を行った場合は、再びＳ４１５に戻って、縮尺表示制御部２９は測量モードを継続する。携帯電話機１は、ユーザの指示に基づいてステップＳ４１５乃至Ｓ４２５の処理を繰り返すことにより、縮尺表示５１を所定の位置・角度に設定する。
【００７７】
このように、携帯電話機１は測量モードを起動した際、ユーザの指示に基づいて長さの縮尺表示を行い、ユーザの指示に基づいてこの縮尺表示５１を縦横変換、平行移動、回転移動させることにより、測量の対象物に対して測量しやすい位置に測量しやすい角度で縮尺表示５１を表示させる。
【００７８】
本発明に係る携帯情報機器（携帯電話機１）の実施例３によると、ＣＣＤカメラ１６を用いて撮像処理を行う際、ズーム倍率に基づいて長さの縮尺表示を行うとともに、ユーザの指示により、撮像対象物の測量が行いやすいようにこの縮尺表示５１を縦横変換、平行移動、回転移動させることにより、ユーザが撮像対象物の長さや幅等のサイズを視覚的に測量することが可能となる。
【実施例４】
【００７９】
本発明に係る携帯情報機器の実施例４について図１２及び図１３に基づいて説明する。なお実施例４は、実施例１乃至実施例３と同様に、本発明に係る携帯情報機器として、携帯電話機１を例に挙げて説明する。
【００８０】
図１２は、携帯電話機１が縮尺表示処理を行う際の手順を示すフローチャートである。携帯電話機１の実施例３では、ＣＣＤカメラ１６を用いた撮像を行う際に長さの縮尺表示を行うとともに、この縮尺表示５１について、対象物の形状に合わせて長さやメモリ単位を変更することができる。
【００８１】
ユーザは、携帯電話機１を用いて測量を行う際に、まず操作キー１４等を用いてＣＣＤカメラ１６を起動するように指示を出す。そこで、カメラ制御部２７は、ＣＣＤカメラ１６の起動が指示されたか否かを判断する（Ｓ５０１）。ＣＣＤカメラ１６の起動が指示されていない場合（Ｓ５０１のＮｏ）は、カメラ制御部２７は変化するまで待機する。
【００８２】
ＣＣＤカメラ１６の起動が指示された場合（Ｓ５０１のＹｅｓ）は、カメラ制御部２７はカメラを起動して、通常撮像モードにて撮像処理を行う（Ｓ５０３）。そして、測量制御部２８は、測量モードの起動の指示がされたか否かを判断する（Ｓ５０５）。測量モードの起動が指示されていない場合（Ｓ５０５のＮｏ）は、カメラ制御部２７が通常撮像モードにてＣＣＤカメラ１６による撮像処理を継続する。
【００８３】
測量モードの起動が指示された場合（Ｓ５０５のＹｅｓ）は、測量制御部２８は、測量モードを起動する（Ｓ５０７）。測量モードが起動されると、測量制御部２８は、実施例１のステップＳ１０９乃至Ｓ１１９に示すように、ピントが合っている物を測量の対象物に設定して、この対象物にハイライトや強調表示を行う。
【００８４】
縮尺表示制御部２９は、縮尺表示が指示されたか否かを判断する（Ｓ５０９）。この指示は、例えばユーザが操作キー１４を用いて任意のキー操作を行うことによってされる。縮尺表示が指示されていない場合（Ｓ５０９のＮｏ）は、縮尺表示制御部２９はそのまま待機する。
【００８５】
縮尺表示が指示された場合（Ｓ５０９のＹｅｓ）は、縮尺表示制御部２９は、カメラ制御部２７からＣＣＤカメラ１６において現在設定されているズーム倍率を取得する（Ｓ５１１）。また縮尺表示制御部２９は、液晶ディスプレイ１５の表示画面５０に表示されている画像（ＣＣＤカメラ１６で撮像されている画像）に重ねるようにして、縮尺表示を行う（Ｓ５１３）。
【００８６】
縮尺表示５１の縮尺バー５１ａは、例えば図１３（Ａ）に示すように、測量の対象物Ｘ７の近隣に表示される。縮尺表示５１の縮尺バー５１ａは対象物Ｘ７に対して視覚的に測量が行える位置において、対象物Ｘ７の測量に適した長さやメモリ単位で表示されることが望ましいが、必ずしもユーザにとって理想的な長さやメモリ単位で表示されるとは限らないため、携帯電話機１は、ユーザにより操作キー１４を用いて縮尺表示５１の縮尺バー５１ａの長さやメモリ単位を変更したりすることができるように構成されている。
【００８７】
縮尺表示制御部２９は、縮尺表示５１の長さの変更が指示されたか否かを判断する（Ｓ５１５）。縮尺表示５１の長さの変更が指示された場合（Ｓ５１５のＹｅｓ）は、縮尺表示制御部２９は、縮尺表示５１の縮尺バー５１ａを所定量（またはユーザにより指示された量）だけ長く（あるいは短く）する（Ｓ５１７）。例えば図１３（Ａ）及び図１３（Ｂ）に示すように、ユーザの操作キー１４を介した指示に基づいて、縮尺表示５１の縮尺バー５１ａの長さを対象物Ｘ７の長さに合わせて変更する。
【００８８】
縮尺表示５１の長さの変更が指示されなかった場合（Ｓ５１５のＮｏ）、あるいはＳ５１７の処理を行った場合、縮尺表示制御部２９は、縮尺表示５１のメモリ表示が指示されたか否かを判断する（Ｓ５１９）。縮尺表示５１のメモリ表示が指示された場合（Ｓ５１９のＹｅｓ）は、縮尺表示制御部２９は、縮尺表示５１に対してメモリ５１ｂを表示する（Ｓ５２１）。例えば図１３（Ｃ）に示すように、ユーザの操作キー１４を介した指示に基づいて、メモリ５１ｂを表示する。なお、始めにメモリ５１ｂを表示していた場合、ユーザの指示に基づいてこのメモリ５１ｂを表示しないようにしても良い。
【００８９】
縮尺表示５１のメモリ表示が指示されなかった場合（Ｓ５１９のＮｏ）、あるいはＳ５２１の処理を行った場合、縮尺表示制御部２９は、縮尺表示５１のメモリ単位の変更が指示されたか否かを判断する（Ｓ５２３）。縮尺表示５１のメモリ単位の変更が指示された場合（Ｓ５２３のＹｅｓ）は、縮尺表示制御部２９は、縮尺表示５１を所定のメモリ単位（またはユーザにより指示されたメモリ単位）に変更する（Ｓ５２５）。例えば図１３（Ｃ）及び図１３（Ｄ）に示すように、ユーザの操作キー１４を介した指示に基づいて、縮尺表示５１のメモリ単位を例えば１メモリ２５ｃｍから１メモリ１０ｃｍに変更する。
【００９０】
メモリ単位の変更が指示されなかった場合（Ｓ５２３のＮｏ）、あるいはＳ５２５の処理を行った場合は、再びＳ５１５に戻って、縮尺表示制御部２９は測量モードを継続する。携帯電話機１は、ユーザの指示に基づいてステップＳ５１５乃至Ｓ５２５の処理を繰り返すことにより、縮尺表示５１の縮尺バー５１ａの長さの変更やメモリ５１ｂの表示有無、メモリ単位の変更を行い、縮尺表示５１の縮尺バー５１ａの長さやメモリ５１ｂのメモリ単位を設定する。
【００９１】
このように、携帯電話機１は測量モードを起動した際、ユーザの指示に基づいて長さの縮尺表示を行い、ユーザの指示に基づいてこの縮尺表示５１の縮尺バー５１ａの長さを変更したりメモリ５１ｂのメモリ単位を変更したりすることにより、測量の対象物に対して測量しやすい長さやメモリ単位で縮尺表示５１を表示させる。
【００９２】
本発明に係る携帯情報機器（携帯電話機１）の実施例４によると、ＣＣＤカメラ１６を用いて撮像処理を行う際、ズーム倍率に基づいて長さの縮尺表示を行うとともに、ユーザの指示により、撮像対象物の測量が行いやすいようにこの縮尺表示５１の縮尺バー５１ａの長さやメモリ５１ｂのメモリ単位を変更することにより、ユーザが撮像対象物の長さや幅等のサイズを視覚的に測量することが可能となる。
【実施例５】
【００９３】
本発明に係る携帯情報機器の実施例３について図１４及び図１５に基づいて説明する。なお実施例５は、実施例１乃至実施例４と同様に、本発明に係る携帯情報機器として、携帯電話機１を例に挙げて説明する。
【００９４】
図１４は、携帯電話機１が縮尺表示処理を行う際の手順を示すフローチャートである。携帯電話機１の実施例５では、ＣＣＤカメラ１６を用いた撮像を行う際に長さの縮尺表示を行うとともに、この縮尺表示に基づいて、携帯電話機１から測量の対象物までの距離を測量することができる。
【００９５】
ユーザは、携帯電話機１を用いて対象物までの距離の測量を行う際に、まず操作キー１４等を用いてＣＣＤカメラ１６を起動するように指示を出す。そこで、カメラ制御部２７は、ＣＣＤカメラ１６の起動が指示されたか否かを判断する（Ｓ６０１）。ＣＣＤカメラ１６の起動が指示されていない場合（Ｓ６０１のＮｏ）は、カメラ制御部２７は変化するまで待機する。
【００９６】
ＣＣＤカメラ１６の起動が指示された場合（Ｓ６０１のＹｅｓ）は、カメラ制御部２７はカメラを起動して、通常撮像モードにて撮像処理を行う（Ｓ６０３）。そして、測量制御部２８は、測量モードの起動の指示がされたか否かを判断する（Ｓ６０５）。測量モードの起動が指示されていない場合（Ｓ６０５のＮｏ）は、カメラ制御部２７が通常撮像モードにてＣＣＤカメラ１６による撮像処理を継続する。
【００９７】
測量モードの起動が指示された場合（Ｓ６０５のＹｅｓ）は、測量制御部２８は、測量モードを起動する（Ｓ６０７）。測量モードが起動されると、測量制御部２８は、実施例１のステップＳ１０９乃至Ｓ１１９に示すように、ピントが合っている物を測量の対象物に設定して、この対象物にハイライトや強調表示を行う。
【００９８】
測量制御部２８は、対象物までの距離の測量が指示されたか否かを判断する（Ｓ６０９）。この指示は、例えばユーザが操作キー１４を用いて任意のキー操作を行うことによってされる。対象物までの距離の測量が指示されていない場合（Ｓ６０９のＮｏ）は、測量制御部２９は測量モードを継続してそのまま待機する。
【００９９】
対象物までの距離の測量が指示された場合（Ｓ６０９のＹｅｓ）は、測量制御部２９は、距離の測量を行う対象物を決定する（Ｓ６１１）。この際、実施例１のステップＳ１０９乃至Ｓ１１９に示すような処理により、ユーザの操作キー１４を介した指示に基づいて測量の対象物を決定すると良い。測量制御部２８は、この対象物に対してハイライトや強調表示を行う。
【０１００】
測量制御部２８は、ユーザに対して、対象物の実際の長さを入力するように促す。この際、例えば図１５（Ａ）に示すように、測量の対象物Ｘ８の実際の長さを入力するための入力欄５１ｆを表示することにより、ユーザに入力を促す。ユーザは数字キー１４ａ等の操作キー１４を用いて、測量の対象物Ｘ８の実際の長さを入力する。
【０１０１】
測量制御部２８は、測量の対象物の実際の長さが入力されたか否かを判断する（Ｓ６１５）。測量の対象物の実際の長さが入力されていない場合（Ｓ６１５のＮｏ）は、測量制御部２８は入力されるまで待機する。測量の対象物の実際の長さが入力された場合（Ｓ６１５のＹｅｓ）は、測量制御部２８は、入力された値を取得する（Ｓ６１７）。
【０１０２】
測量制御部２８は、液晶ディスプレイ１５の表示画面５０上における測量の対象物の長さを取得する（Ｓ６１９）。この際、図１５（Ｂ）及び図１５（Ｃ）に示すように、ＣＣＤカメラ１６のズーム倍率を変更して、測量の対象物Ｘ８を適当な大きさに変更して（例えば表示画面５０に対象物全体が大きく表示されるように）表示することにより、測量の精度を向上させることができる。また測量制御部２８は、ＣＣＤカメラ１６に設定されているズーム倍率を取得する（Ｓ６２１）。
【０１０３】
測量制御部２８は、６１７にて取得した測量の対象物の実際の長さ、Ｓ６１９にて取得した測量の対象物の表示画面５０上における長さ、及びＳ６２１にて取得したズーム倍率等を用いて、対象物の実際の長さを算出する（Ｓ６２３）。測量制御部２８は、Ｓ６２３にて算出した対象物の実際の長さを液晶ディスプレイ１５の表示画面５０に表示する（Ｓ６２５）。例えば図１５（Ｃ）に示すように、携帯電話機１から対象物Ｘ８までの距離は、距離表示欄５１ｇに表示される。
【０１０４】
このように、携帯電話機１は測量モードが起動された際、測量の対象物の実際の長さが指定されると、ＣＣＤカメラ１６にてこの測量の対象物を撮像することにより、この対象物の実際の長さ、この対象物の表示画面５０上の長さ、及びズーム倍率等を用いて携帯電話機１からこの対象物までの距離を測量することができる。
【０１０５】
本発明に係る携帯情報機器（携帯電話機１）の実施例５によると、ＣＣＤカメラ１６を用いて撮像処理を行う際、ズーム倍率に基づいて長さの縮尺表示を行うとともに、ズーム倍率、撮像対象物の表示画面５０上の長さ、及び撮像対象物の実際の長さに基づいて、この携帯電話機１から撮像対象物までの実際の距離を測量することが可能となる。
【０１０６】
なお、本発明に係る携帯情報機器（携帯電話機１）を、カメラのファインディング状態において携帯電話機１の装置を変形させた際に、ＵＩ操作を変更後の形状に合ったＵＩ操作に変更されるように構成し、撮像中でも縮尺表示等のＵＩ操作が容易に行えるようにすると良い。また、携帯電話機１において測量モードを起動した際、通常撮影モードの状態とは異なったＵＩ操作を行うように構成することによって、ＣＣＤカメラ１６を用いて測量を行う際の操作性が向上させることができる。
【０１０７】
また、サイズが既知の対象物を用いて、固定のズーム倍率によりＣＣＤカメラ１６のピントを合わせることにより、縮尺表示の際の縮尺バー５１ａのメモリ５１ｂのメモリ単位を補正すると良い。または、サイズが既知の対象物を用いて、携帯電話機１とこの対象物とを固定の距離だけ離れた位置に設定し、ズーム倍率を調整してカメラのピントを合わせることにより、縮尺表示の際のメモリ５１ｂのメモリ単位を補正すると良い。
【０１０８】
また、ＣＣＤカメラ１６を用いて測量された測量データをアプリケーションのデータとして記憶部２４や測量データ記憶部２８ａに記憶すると良い。これにより、例えば、身長を計測して、電話帳データやプロフィールデータ等に併せて記憶することが可能となる。
【０１０９】
また、ＣＣＤカメラ１６を用いて測量された測量データを、その際に撮像された画像データ（動画を含む）に合成して、測量データ付きの画像データとして記憶部２４または測量データ記憶部２８ａに記憶すると良い。
【０１１０】
また、計測データ（対象物の長さ／ズーム倍率／対象物までの距離等）をアンテナ３７を介して他の通信端末に送信することにより、他の通信端末で利用することが可能となる。または携帯電話機１がテレビ電話機能を有する場合、撮像されている画像と併せて縮尺情報を送信し、相手の通信端末に表示させることが可能となる。
【０１１１】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ等、カメラ機能を備えていれば任意の携帯情報機器であって構わない。
【図面の簡単な説明】
【０１１２】
【図１】本発明に係る携帯情報機器である携帯電話機を示す構成図。
【図２】本発明に係る携帯情報機器である携帯電話機を示す構成図。
【図３】本発明に係る携帯情報機器である携帯電話機の機能ブロック図。
【図４】本発明に係る携帯電話機において対象物設定処理を行う際の手順を示すフローチャート。
【図５】本発明に係る携帯電話機において対象物設定処理を行う際の画面遷移図。
【図６】本発明に係る携帯電話機において縮尺表示処理（実施例１）を行う際の手順を示すフローチャート。
【図７】本発明に係る携帯電話機において対象物設定処理（実施例１）を行う際の画面遷移図。
【図８】本発明に係る携帯電話機において縮尺表示処理（実施例２）を行う際の手順を示すフローチャート。
【図９】本発明に係る携帯電話機において対象物設定処理（実施例２）を行う際の画面遷移図。
【図１０】本発明に係る携帯電話機において縮尺表示処理（実施例３）を行う際の手順を示すフローチャート。
【図１１】本発明に係る携帯電話機において対象物設定処理（実施例３）を行う際の画面遷移図。
【図１２】本発明に係る携帯電話機において縮尺表示処理（実施例４）を行う際の手順を示すフローチャート。
【図１３】本発明に係る携帯電話機において対象物設定処理（実施例４）を行う際の画面遷移図。
【図１４】本発明に係る携帯電話機において縮尺表示処理（実施例５）を行う際の手順を示すフローチャート。
【図１５】本発明に係る携帯電話機において対象物設定処理（実施例５）を行う際の画面遷移図。
【符号の説明】
【０１１３】
１…携帯電話機，１１…ヒンジ部，１２…第１の筐体，１３…第２の筐体，１４、１４ａ乃至１４ｆ…操作キー，１５…液晶ディスプレイ，１６…ＣＣＤカメラ，１７…スピーカ，１８…マイクロフォン，２０…主制御部，２１…電源回路部，２２…操作入力制御部，２３…表示制御部，２４…記憶部，２５…音声コーデック，２６…変復調回路部，２７…カメラ制御部，２８…測量制御部，２８ａ…測量データ記憶部，２９…縮尺表示制御部，３６…送受信回路部，３７…アンテナ，５０…表示画面，５１…縮尺表示，５１ａ…縮尺バー，５１ｂ…メモリ，５１ｃ…測量バー，５１ｄ…長さ表示欄，５１ｅ…基準値を示す縮尺表示，５１ｆ…長さ入力欄，５１ｇ…距離表示欄，Ｘ１乃至Ｘ８…測量の対象物。
【図１】
0005239270.tif 000002
【図２】
0005239270.tif 000003
【図３】
0005239270.tif 000004
【図４】
0005239270.tif 000005
【図５】
0005239270.tif 000006
【図６】
0005239270.tif 000007
【図７】
0005239270.tif 000008
【図８】
0005239270.tif 000009
【図９】
0005239270.tif 000010
【図１０】
0005239270.tif 000011
【図１１】
0005239270.tif 000012
【図１２】
0005239270.tif 000013
【図１３】
0005239270.tif 000014
【図１４】
0005239270.tif 000015
【図１５】
0005239270.tif 000016